(57)【要約】【課題】プロテクター内に雨水が浸入するのを防止するとともに施工作業が容易である地下タンク貯蔵装置用の雨水浸入防止装置及び地下タンク貯蔵装置を提供する。【解決手段】地下タンク貯蔵装置５０は、地下タンク１１の周囲を乾燥砂５１と鉄筋コンクリート製の躯体５２とが取り囲み、上端部に有底筒状のプロテクター１６が配設されている。この装置５０には、プロテクター１６の上部開口部を取り囲む内部筒体２２及び外部筒体２４ａ、両筒体２２，２４ａ間に間隙３２を形成させるスペーサープレート２３、内部筒体２２の上部開口部を閉鎖するプロテクター蓋２８，２９、マンホール蓋受枠３３並びにマンホール蓋３４，３５を備えた雨水排出装置が設けられている。さらに、両筒体２２，２４ａの下端部間に位置する間隙３２は下部周縁フランジ５３により閉鎖され、外部筒体２４ａの下端部外面には躯体５２の外部へと延びる雨水排出管５５が設けられている。【選択図】　　　図５
2004034995.tif 000002
【特許請求の範囲】
【請求項１】
マンホールの下方に埋設された地下タンクの上端部に有底筒状のプロテクターが配設された地下タンク貯蔵装置に設けられ、
前記プロテクターの上部開口部を開閉可能に閉鎖するプロテクター蓋と、同プロテクターの外側部に配設されるスペーサーとを備え、
前記スペーサーによりプロテクターの外面とマンホールの内側面との間に間隙を形成させるとともに、前記プロテクター蓋の上面と前記間隙とを通してマンホール内に浸入する雨水を周囲の土壌中へと排出するように構成したことを特徴とする地下タンク貯蔵装置用の雨水排出装置。
【請求項２】
さらに前記プロテクターの上部開口部を取り囲む内部筒体と、その内部筒体を取り囲む外部筒体とを設け、
前記外部筒体によりマンホールの内側面を構成するとともに、その外部筒体の内側面と内部筒体の外面との間にスペーサーを設け、さらに前記内部筒体の上部開口部を前記プロテクター蓋により開閉可能に閉鎖するように構成したことを特徴とする請求項１に記載の地下タンク貯蔵装置用の雨水排出装置。
【請求項３】
さらに前記外部筒体の上端部にマンホール蓋受枠とマンホール蓋とを設け、
前記外部筒体の上端部にマンホール蓋受枠を固設し、そのマンホール蓋受枠の開口部をマンホール蓋により開閉可能に閉鎖するように構成するとともに、
前記マンホール蓋受枠の開口部を前記プロテクター蓋の外周縁よりも大きく開口させたことを特徴とする請求項２に記載の地下タンク貯蔵装置用の雨水排出装置。
【請求項４】
前記地下タンク全体を鉄筋コンクリート製の躯体で取り囲み、その躯体と地下タンクとの間に乾燥砂を充填するとともに、
前記内部筒体の外面と外部筒体の下端部内側面との間の間隙を埋めて雨水を一時的に溜めるように構成し、さらに前記外部筒体の下端部外側面に前記一時的に溜められた雨水を躯体の外部へと排出するための雨水排出手段を設けたことを特徴とする請求項２又は請求項３に記載の地下タンク貯蔵装置用の雨水排出装置。
【請求項５】
マンホールの下方に埋設された地下タンクの上端部に有底筒状のプロテクターが配設された地下タンク貯蔵装置であって、
請求項１から請求項４のいずれかに記載の地下タンク貯蔵装置用の雨水排出装置を設けたことを特徴とする地下タンク貯蔵装置。
【発明の詳細な説明】
【０００１】
【発明の属する技術分野】
この発明は、例えば給油時に、地下タンク上部の液体供給口から誤って漏出されるガソリン、灯油、軽油、重油等のオイルを一時的に収容するためのプロテクターを備えた地下タンク貯蔵装置及びその地下タンク貯蔵装置に設けられる雨水排出装置に関するものである。より詳しくは、マンホール蓋の隙間を通って浸入する雨水が、プロテクター内に溜まるのを防止することができるように構成された地下タンク貯蔵装置用の雨水排出装置及び地下タンク貯蔵装置に関するものである。
【０００２】
【従来の技術】
従来より、この種の地下タンク貯蔵装置としては、例えば特開２００１−４８２９３号公報に開示されている地下タンクの設置におけるプロテクターの構造が知られている。このプロテクターの構造は、マンホールを開閉可能に閉鎖するマンホール蓋を備え、そのマンホール蓋の下方に地下タンクを埋設し、その地下タンクの上端部に液体供給口又は液体供給配管と、その液体供給口又は液体供給配管を取り囲むように構成されたプロテクターとが設けられている。さらに、前記プロテクターの上部開口部には、そのプロテクターを開閉可能に閉鎖するための蓋体を設けるとともに、前記マンホールとプロテクターとの間には、マンホール蓋の隙間を通って浸入する雨水を周囲の土壌中に排出するための間隙が形成されている。そして、この構造をとることによって、前記地下タンク貯蔵装置は、プロテクター内に雨水が浸入するのを防止することができるようになっている。
【０００３】
【発明が解決しようとする課題】
ところが、前記従来の地下タンクの設置におけるプロテクターの構造は、マンホールとプロテクターとの間に数十ｍｍ程度の間隙を形成させながら施工する必要があった。しかしながら、直径数十ｃｍ〜１ｍ程のマンホールの中心位置にプロテクターを正確に配置しつつ固設するのは著しく困難であり、高度な施工技術を身につけた技術者であっても多くの時間と手間がかかってしまっていた。
【０００４】
この発明は、上記のような従来技術に存在する問題点に着目してなされたものである。その目的とするところは、プロテクター内に雨水が浸入するのを容易に防止することができるうえ、地下タンク貯蔵装置の施工作業を容易に行うことができるように構成された地下タンク貯蔵装置用の雨水浸入防止装置及び地下タンク貯蔵装置を提供することにある。
【０００５】
【課題を解決するための手段】
上記の目的を達成するために、請求項１に記載の発明の地下タンク貯蔵装置用の雨水排出装置は、マンホールの下方に埋設された地下タンクの上端部に有底筒状のプロテクターが配設された地下タンク貯蔵装置に設けられ、前記プロテクターの上部開口部を開閉可能に閉鎖するプロテクター蓋と、同プロテクターの外側部に配設されるスペーサーとを備え、前記スペーサーによりプロテクターの外面とマンホールの内側面との間に間隙を形成させるとともに、前記プロテクター蓋の上面と前記間隙とを通してマンホール内に浸入する雨水を周囲の土壌中へと排出するように構成したことを特徴とするものである。
【０００６】
請求項２に記載の発明の地下タンク貯蔵装置用の雨水排出装置は、請求項１に記載の発明において、さらに前記プロテクターの上部開口部を取り囲む内部筒体と、その内部筒体を取り囲む外部筒体とを設け、前記外部筒体によりマンホールの内側面を構成するとともに、その外部筒体の内側面と内部筒体の外面との間にスペーサーを設け、さらに前記内部筒体の上部開口部を前記プロテクター蓋により開閉可能に閉鎖するように構成したことを特徴とするものである。
【０００７】
請求項３に記載の発明の地下タンク貯蔵装置用の雨水排出装置は、請求項２に記載の発明において、さらに前記外部筒体の上端部にマンホール蓋受枠とマンホール蓋とを設け、前記外部筒体の上端部にマンホール蓋受枠を固設し、そのマンホール蓋受枠の開口部をマンホール蓋により開閉可能に閉鎖するように構成するとともに、前記マンホール蓋受枠の開口部を前記プロテクター蓋の外周縁よりも大きく開口させたことを特徴とするものである。
【０００８】
請求項４に記載の発明の地下タンク貯蔵装置用の雨水排出装置は、請求項２又は請求項３に記載の発明において、前記地下タンク全体を鉄筋コンクリート製の躯体で取り囲み、その躯体と地下タンクとの間に乾燥砂を充填するとともに、前記内部筒体の外面と外部筒体の下端部内側面との間の間隙を埋めて雨水を一時的に溜めるように構成し、さらに前記外部筒体の下端部外側面に前記一時的に溜められた雨水を躯体の外部へと排出するための雨水排出手段を設けたことを特徴とするものである。
【０００９】
請求項５に記載の発明の地下タンク貯蔵装置は、マンホールの下方に埋設された地下タンクの上端部に有底筒状のプロテクターが配設された地下タンク貯蔵装置であって、請求項１から請求項４のいずれかに記載の地下タンク貯蔵装置用の雨水排出装置を設けたことを特徴とするものである。
【００１０】
【発明の実施の形態】
（第１実施形態）
以下、この発明の第１実施形態を、図面に基づいて詳細に説明する。
【００１１】
図１に示すように、第１実施形態の地下タンク貯蔵装置１０は、全体が鋼材又は繊維強化プラスチック（ＦＲＰ）によりほぼ横置円筒状に形成された地下タンク１１を備えている。この地下タンク１１は、図示しない鉄筋コンクリート製の基礎スラブ上に載置された横置円筒状の地下タンク本体１２と、その地下タンク本体１２の上端部から突設された有蓋円筒状のマンホール部１３とから構成されている。さらに、この地下タンク１１の外側方位置には、図示しない鉄筋コンクリート製の複数の支柱が、地下タンク１１を取り囲むように前記基礎スラブ上から立設されている。即ち、この地下タンク貯蔵装置１０は直埋式の設置構造を有している。
【００１２】
前記マンホール部１３の上端部には、ガソリン、灯油、軽油、重油等のオイル４１を地下タンク本体１２内に供給するための給油口１４が突設されている。さらに、この給油口１４に隣接するマンホール部１３の上端部には、地下タンク本体１２内に貯蔵されているオイル４１を、地下を通って図示しない各設備に供給するためのオイル管１５の基端部が接続されている。このオイル管１５は、マンホール部１３から上方に突設された後に水平方向に屈曲するように配設されており、２つの配管を接合部１５ａで接合することによって、オイル管１５の配設作業を容易に行うことができるようになっている。
【００１３】
マンホール部１３の上部には、鋼材によりほぼ有底円筒状に形成されたプロテクター１６が、前記マンホール部１３、給油口１４及びオイル管１５の基端部を取り囲むように設けられている。このプロテクター１６は、給油時等に給油口１４から誤って漏出するオイル４１を一時的に収容するために設けられている。さらに、マンホール部１３及びオイル管１５と、プロテクター１６との各接合部分には、溶接部１７又はコーキング部１７ａが設けられている。これら溶接部１７及びコーキング部１７ａは、前記プロテクター１６内に一時的に収容されたオイル４１が、外部の土壌４２中に漏出するのを防止するとともに、土壌４２中の水分、砂粒、泥等がプロテクター１６内に浸入するのを防止するために設けられている。また、このプロテクター１６の上部は縮径された第１縮径部１６ａとなっており、その第１縮径部１６ａの下端部には、プロテクター１６の中央部外周面と第１縮径部１６ａの外周面との境界に平面円環状に形成された第１段部１６ｂが設けられている。
【００１４】
図１及び図２に示すように、プロテクター１６の第１縮径部１６ａの周縁部には、薄いステンレス鋼により略円筒状に形成されたかぶせ枠２１が配設されている。このかぶせ枠２１は、前記第１縮径部１６ａの周囲を取り囲みつつ第１段部１６ｂ上に載置されているうえ、略円筒状に形成された内部筒体２２と、その内部筒体２２の外周面から突設されたスペーサーとしての複数のスペーサープレート２３とを備えている。さらに、前記内部筒体２２の上端部（上部開口部）は縮径された第２縮径部２２ａとなっており、その第２縮径部２２ａの下端部には内部筒体２２の上部外周面と第２縮径部２２ａの外周面との境界に平面円環状に形成された第２段部２２ｂが設けられている。
【００１５】
前記スペーサープレート２３は、薄いステンレス鋼により四角板状に形成されているうえ、内部筒体２２の外周面から上下方向に延びるとともに放射状に延びるように突設されている。さらに、これらスペーサープレート２３は、内部筒体２２の上下端部に各一対設けられているうえ、平面から見たとき等間隔（等角度）となるように８カ所（合計１６枚）設けられている。なお、これらスペーサープレート２３は、内部筒体２２の外周面に溶接により接合されている。
【００１６】
かぶせ枠２１の周縁部には、薄いステンレス鋼により略円筒状に形成されたコンクリートガード筒２４が同かぶせ枠２１の周囲を取り囲むように配設されている。このコンクリートガード筒２４の下端縁は、かぶせ枠２１の下端よりも所定高さ高い位置に配設されている。このコンクリートガード筒２４は、円筒状に形成された外部筒体２４ａと、その外部筒体２４ａの上端縁に設けられた上部フランジ部２４ｂとから構成されている。前記上部フランジ部２４ｂには、所定間隔をおいて複数の接合孔２４ｃが円孔状に貫設されている。そして、このコンクリートガード筒２４は、その下端部内側面に前記スペーサープレート２３の外端縁を密着させて溶接により接合することによって、プロテクター１６の上方所定位置に固設されるようになっているうえ、その内部にマンホール２５が形成されるように構成されている。
【００１７】
一方、前記かぶせ枠２１の上部開口部には、いずれもＦＲＰにより構成されたプロテクター蓋としてのプロテクター外蓋２８及びプロテクター中蓋２９が設けられ、プロテクター１６の上部開口部を開閉可能に閉鎖している。プロテクター外蓋２８は、外方ほど僅かに低くなるように傾斜した円環板状の傾斜部２８ａと、その傾斜部２８ａの外周縁に沿って垂下された円筒状の下部係合突部２８ｂと、前記傾斜部２８ａの内周縁に沿って立設された円筒状の上部係合突部２８ｃとから構成されている。そして、このプロテクター外蓋２８は、下部係合突部２８ｂの下端縁を内部筒体２２の第２段部２２ｂ上に載置することによって、第２縮径部２２ａの周囲を取り囲みつつ内部筒体２２の上部開口部を開閉可能に閉鎖するように構成されている。
【００１８】
プロテクター中蓋２９は、外方ほど僅かに低くなるように傾斜した円板状の円板部２９ａと、その円板部２９ａの外周縁に沿って垂下された円筒状の下部係合突部２９ｂとから有蓋円筒状に形成されている。さらに、前記円板部２９ａの上面中央には、円環状に形成された把持リング２９ｃが取着され、プロテクター中蓋２９を容易に把持することができるようになっている。そして、このプロテクター中蓋２９は、下部係合突部２９ｂの下端縁をプロテクター外蓋２８の傾斜部２８ａ上に載置することによって、上部係合突部２８ｃの周囲を取り囲みつつプロテクター外蓋２８の上部開口部を開閉可能に閉鎖するように構成されている。
【００１９】
図１及び図３に示すように、この地下タンク貯蔵装置１０の上端部には、前記図示しない複数の支柱を介して基礎スラブ上に支持された鉄筋コンクリート製の上部スラブ３１が設けられ、その上部スラブ３１によって地上と地下との境界が形成されている。この上部スラブ３１の中央部には、前記コンクリートガード筒２４により円孔状に開口されたマンホール２５が上下方向に穿設されるとともに、そのマンホール２５の下部には、前記プロテクター１６の第１縮径部１６ａ、かぶせ枠２１及びプロテクター蓋２８，２９が配置されている。
【００２０】
さらに、前記かぶせ枠２１を構成する内部筒体２２の外周面とマンホール２５（外部筒体２４ａ）の下端部内周面との間には、平面円環状に形成された間隙３２が形成されている。この間隙３２は、内部筒体２２の外周面と外部筒体２４ａの内周面との間全体に渡って、前記スペーサープレート２３の突出幅に相当する間隔離間されるように構成されており、地上よりマンホール２５内に浸入する雨水を周囲の土壌４２中へと排出するための雨水排出路を構成している。
【００２１】
なお、前記間隙３２の幅としては、好ましくは５〜３０ｍｍ、より好ましくは５〜１５ｍｍである。この間隙３２が５ｍｍ未満の場合、大量の雨水が浸入したようなときに、その雨水を効率よく排出させることができないおそれがある。逆に間隙３２が３０ｍｍを越える場合には、マンホール２５の内径を必要以上に大きくすることになることから好ましくない。また、上記コンクリートガード筒２４の下端とかぶせ枠２１の下端との高さの差についても同様の理由で、好ましくは５〜３０ｍｍ、より好ましくは５〜１５ｍｍであるとよい。
【００２２】
一方、マンホール２５の上端部には、鋳鉄材により略円筒状に形成されたマンホール蓋受枠３３が配設されている。このマンホール蓋受枠３３は、断面略逆Ｔ字状に形成されており、その下端部内周面には内方に連続して延びる環状支持突部３３ａが突設されている。さらに、この環状支持突部３３ａの外側方位置には、前記コンクリートガード筒２４上端部の接合孔２４ｃと上下に一致した位置に図示しない上部接合孔が円孔状に貫設されており、コンクリートガード筒２４の上端部にマンホール蓋受枠３３を固着させるようになっている。また、この環状支持突部３３ａの内径は、前記プロテクター外蓋２８の外径よりも大きくなるように形成されており、プロテクター外蓋２８をマンホール２５内から地上へと容易に取り出すことができるようになっている。
【００２３】
さらに、このマンホール２５の上端部は、マンホール蓋としてのマンホール外蓋３４及びマンホール中蓋３５により開閉可能に閉鎖されるように構成されている。前記マンホール外蓋３４は、鋳鉄材により略円環板状に形成されているうえ、その外周面に沿ってゴム製の防水用パッキン３６が嵌着されている。そして、このマンホール外蓋３４を前記マンホール蓋受枠３３に内嵌させたときには、マンホール蓋受枠３３の内周面と防水用パッキン３６とが密着され、マンホール２５内に雨水が浸入するのを効果的に防止することができるように構成されている。
【００２４】
このマンホール外蓋３４の下端部内周面には、内方に連続して延びる環状支持突部３４ａが突設されている。この環状支持突部３４ａの内径は、前記プロテクター中蓋２９の外径よりも大きくなるように形成されており、マンホール外蓋３４によりマンホール２５が閉鎖された状態でも、プロテクター中蓋２９をマンホール２５内から地上へと容易に取り出すことができるようになっている。
【００２５】
前記マンホール中蓋３５は、鋳鉄材により略円板状に形成されているうえ、その外周面に沿って防水用パッキン３６が嵌着されている。そして、このマンホール中蓋３５を前記マンホール外蓋３４に内嵌させたとき、マンホール外蓋３４の内周面と防水用パッキン３６とが密着され、マンホール２５内に雨水が浸入するのを効果的に防止することができるようになっている。
【００２６】
一方、第１実施形態の雨水排出装置としての防水プロテクターセットは、かぶせ枠２１（内部筒体２２及びスペーサープレート２３）、コンクリートガード筒２４、プロテクター蓋２８，２９、マンホール蓋受枠３３及びマンホール蓋３４，３５により構成されている。この防水プロテクターセットは、それを備えていない既存の地下タンク貯蔵装置、特に設置現場にコンクリートを打設しながら設置する方法（現場打ち法）で設置される既存の地下タンク貯蔵装置に対して好適に装着される。
【００２７】
上記実施形態の作用について以下に記載する。
この地下タンク貯蔵装置１０を現場打ち法により設置現場に設置・施工する際には、まず、基礎スラブ上に地下タンク１１と支柱とを組付けた後、その地下タンク１１上端部のマンホール部１３に給油口１４、オイル管１５及びプロテクター１６を組付ける。一方、工場内又は設置現場において、かぶせ枠２１外端部の各スペーサープレート２３の外端縁をコンクリートガード筒２４の内側面に対して溶接にて接合させておく。
【００２８】
次に、図１に示すように、前記プロテクター１６の第１段部１６ｂ上にかぶせ枠２１の下端縁を載置した後、そのかぶせ枠２１と接合されているコンクリートガード筒２４の上部フランジ部２４ｂ上にマンホール蓋受枠３３を載置する。続いて、前記上部フランジ部２４ｂの接合孔２４ｃと、マンホール蓋受枠３３の上部接合孔とをボルト及びナットによって接合させることにより、コンクリートガード筒２４の上端部にマンホール蓋受枠３３を固着させる。
【００２９】
次に、図３に示すように、前記プロテクター１６（かぶせ枠２１）及びマンホール２５の上部開口部を、それぞれプロテクター蓋２８，２９及びマンホール蓋３４，３５にて閉鎖した後、プロテクター１６の第１段部１６ｂ又はその僅かに下方位置まで土壌４２を埋め戻す。最後に、前記埋め戻された土壌４２の上面と外部筒体２４ａの下端部との間にグリ石４３（砕石でもよい）を層状となるように敷設した後、そのグリ石４３の上面に鉄筋コンクリートを打設して上部スラブ３１を積層することによって地下タンク貯蔵装置１０の施工が完了する。
【００３０】
さて、図３に示されるように、この地下タンク貯蔵装置１０において、地下タンク本体１２内に図示しない給油車からオイル４１を給油する際には、まず、マンホール中蓋３５を取り外してマンホール外蓋３４の中央部を開口させる。次に、プロテクター中蓋２９を取り外してプロテクター外蓋２８の中央部を開口させた後、給油車に設けられた図示しない給油ホースを給油口１４と接続させて給油を行う。
【００３１】
前記オイル４１の給油時に給油口１４から誤ってオイル４１が漏れ出してしまった場合、或いはオイル管１５の接合部１５ａからオイル４１が漏出してしまった場合には、そのオイル４１はプロテクター１６内に一時的に収容され、周囲の土壌４２中に漏れ出すことはない。そして、このプロテクター１６内に一時的に収容されたオイル４１を除去する際には、まず、両マンホール蓋３４、３５を取り外してマンホール２５全体を開口させる。次に、図１に示されるように、両プロテクター蓋２８、２９を取り外してプロテクター１６の第１縮径部１６ａ全体を開口させた後、図示しない吸引ホースをプロテクター１６の内部に挿入し、プロテクター１６内のオイル４１を吸引して取り除く。またこのとき、布等を使用してプロテクター１６内のオイル４１を拭き取って清掃することもできる。
【００３２】
一方、マンホール２５の上方から雨水が降ってきた場合には、図３に示されるように、マンホール中蓋３５、マンホール外蓋３４及びマンホール蓋受枠３３の各隙間が防水用パッキン３６により高い防水性能を有していることから、雨水がマンホール２５内に浸入するのが効果的に防止されている。ところが、長期間の使用により防水用パッキン３６が劣化したり、マンホール蓋３４、３５の開閉時に防水用パッキン３６の表面に砂粒や泥等が付着し防水用パッキン３６の防水性能が低下してしまったような場合には、雨水が前記隙間を通ってマンホール２５内に浸入してしまうおそれがある。
【００３３】
このとき、前記隙間から浸入した雨水は、図３に矢印で示されるように、プロテクター中蓋２９及びプロテクター外蓋２８の上面及び外側面を伝わって下方へと流されて雨水排出路を構成する間隙３２に到達した後、この間隙３２を通って周囲の土壌４２へと浸透して排出される。なお、前記間隙３２を通って排出された雨水は、間隙３２の下端部に敷設されている雨水排出路を構成する層状のグリ石４３の隙間を通って水平方向へと容易に拡散され、土壌４２中への排水速度が高められるようになっている。また、雨水以外の砂粒、泥等の雨水が浸入した場合にも同様に、間隙３２を通って周囲の土壌４２中へと排出される。
【００３４】
上記実施形態によって発揮される効果について、以下に記載する。
・　実施形態の地下タンク貯蔵装置１０は、有底筒状に形成されたプロテクター１６の上部開口部を開閉可能に閉鎖するプロテクター蓋２８，２９と、同プロテクター１６の外側部に配設されるスペーサープレート２３とを備えている。さらに、この地下タンク貯蔵装置１０は、前記スペーサープレート２３によりプロテクター１６の外面（第１縮径部１６ａの外側面及び第１段部１６ｂの上面）とマンホール２５の内側面との間に間隙３２が形成されるようになっている。
【００３５】
このため、この地下タンク貯蔵装置１０においては、プロテクター蓋２８，２９がプロテクター１６の上部開口部を閉鎖していることから、マンホール２５の上方から浸入する雨水がプロテクター１６内に浸入するのを簡単な構成で極めて効果的に防止することができる。さらに、前記雨水は、プロテクター１６の外周部に設けられた間隙３２を通って周囲の土壌４２中に流出されるように構成されていることから、マンホール２５の内部が水浸しになるおそれもない。特に、前記間隙３２は、プロテクター１６の外周部において、同じ幅のスペーサープレート２３により等間隔となるように平面円環状に開口されていることから、間隙３２内の全ての位置における雨水排出能力が極めて高い。
【００３６】
加えて、この地下タンク貯蔵装置１０は、同じ幅のスペーサープレート２３により前記間隙３２を物理的に同じ幅となるように形成させることができるようになっていることから、地下タンク貯蔵装置１０の施工時における各部材の位置合わせを容易に行うことができる。このため、この地下タンク貯蔵装置１０の施工作業において最も技術的に難しかった位置合わせを極めて容易かつ迅速に行うことができ、施工作業にかかる手間と時間を容易に低減させることが可能である。
【００３７】
また、この地下タンク貯蔵装置１０は、前記施工時における各部材の位置合わせを容易に行うことができることから、間隙３２の幅を前記従来の地下タンク貯蔵装置の間隙の幅よりも狭い５〜１５ｍｍに形成しても雨水排出性能にほとんど支障を来すことがない。このため、本実施形態のプロテクター１６は、前記従来の地下タンク貯蔵装置のプロテクターと比較して、その内径をより大きく形成させることが可能となり、プロテクター１６内の点検等の作業を容易に行うことができる。
【００３８】
・　この地下タンク貯蔵装置１０は、前記プロテクター蓋２８，２９及びスペーサープレート２３に加えて、マンホール２５の内側面を構成する外部筒体２４ａと、その外部筒体２４ａ内に配設される内部筒体２２とが設けられている。さらに、この地下タンク貯蔵装置１０は、前記内部筒体２２の外側面と外部筒体２４ａの内側面との間にスペーサープレート２３が設けられているうえ、前記内部筒体２２の上部開口部をプロテクター蓋２８，２９により開閉可能に閉鎖するように構成されている。
【００３９】
このため、この地下タンク貯蔵装置１０は、雨水排出装置が設けられていない既存の地下タンク貯蔵装置に対し本実施形態の雨水排出装置を装着する際に、前記既存の地下タンク貯蔵装置のプロテクターの上端部に内部筒体２２及び外部筒体２４ａを被せることによって極めて容易に施工することができる。特に、この雨水排出装置では、前記プロテクターの上部開口部の外径よりも僅かに大きな内径を有する内部筒体２２を選択することによって、その位置合わせと装着とを瞬時に行うことが可能であることから、施工作業にかかる手間と時間をほとんど余分にかける必要がない。従って、この雨水排出装置は、前記既存の地下タンク貯蔵装置に装着できるという優れた汎用性を持っているうえ、その地下タンク貯蔵装置の雨水排出能力を容易に高めることができて大変有用である。
【００４０】
さらに、この地下タンク貯蔵装置１０の外部筒体２４ａは、コンクリートを打設して上部スラブ３１を施工するための枠体の役割を担うように構成されていることから、現場打ち法による上部スラブ３１の施工作業を著しく容易かつ迅速に行うことができる。加えて、プロテクターの上部開口部よりも僅かに大きな内径を有する内部筒体２２の上端部にプロテクター蓋２８，２９を被せることによりプロテクターの上部開口部を閉鎖できることから、プロテクター蓋２８，２９のサイズをプロテクターではなく内部筒体２２に合わせればよいこととなる。このため、前記既存の地下タンク貯蔵装置に対する雨水排出装置の装着にかかる手間と費用を容易に低減させることが可能である。
【００４１】
・　この地下タンク貯蔵装置１０は、前記プロテクター蓋２８，２９、スペーサープレート２３、外部筒体２４ａ及び内部筒体２２に加えて、前記外部筒体２４ａの上端部に固設されるマンホール蓋受枠３３と、そのマンホール蓋受枠３３の開口部を閉鎖するマンホール蓋３４，３５とが設けられている。さらに、この地下タンク貯蔵装置１０は、前記マンホール蓋受枠３３の開口部がプロテクター外蓋２８の外周縁よりも大きく開口するように構成されている。
【００４２】
このため、この地下タンク貯蔵装置１０の外部筒体２４ａ及びマンホール蓋受枠３３は、コンクリートを打設して上部スラブ３１を施工するための枠体の役割を担うように構成されていることから、現場打ち法による上部スラブ３１の施工作業をさらに容易かつ迅速に行うことができる。さらに、この地下タンク貯蔵装置１０では、マンホール蓋受枠３３及びマンホール蓋３４，３５を、外部筒体２４ａのサイズに合わせればよいことから、前記既存の地下タンク貯蔵装置に対する雨水排出装置の装着にかかる手間と費用をさらに容易に低減させることができる。
【００４３】
（第２実施形態）
以下、第２実施形態を上記第１実施形態と異なる点を中心に説明する。
図５に示すように、第２実施形態の地下タンク貯蔵装置５０は、タンク室式の設置構造を有するものである。即ち、この地下タンク貯蔵装置５０は、地下タンク１１の周囲を取り囲むように乾燥砂５１を埋設するとともに、その乾燥砂５１の周囲を鉄筋コンクリート製の躯体５２で取り囲むことにより、地下タンク１１を周囲の土壌４２から遮蔽するように構成されている。
【００４４】
図４に示すように、この地下タンク貯蔵装置５０に取着されるかぶせ枠２１は、円筒状に形成された内部筒体２２の下端縁から外側方に延びるスペーサーとしての下部周縁フランジ５３が平面円環状に突設されている。また、同内部筒体２２の下端部外周面に突設されていたスペーサープレート２３は省略されている。さらに、コンクリートガード筒２４の下端部には、外部筒体２４ａの内外を連通させるための横円筒状に形成された雨水排出路を構成する雨水排出口５４が設けられている。そして、前記かぶせ枠２１下端部の下部周縁フランジ５３の外端縁は、コンクリートガード筒２４の下端縁全体に対して溶接により接合されるように構成されている。
【００４５】
一方、図５に示すように、この地下タンク貯蔵装置５０の上端部には、乾燥砂５１及び躯体５２の一側部を水平方向に貫いて躯体５２外部の土壌４２中へと延びるように配設された雨水排出管５５が設けられている。この雨水排出管５５の基端部は、地下タンク貯蔵装置５０の施工時に前記雨水排出口５４と接続されるように構成されている。そして、この第２実施形態の雨水排出装置としての防水プロテクターセットは、前記かぶせ枠２１、コンクリートガード筒２４、雨水排出管５５、プロテクター蓋２８，２９、マンホール蓋受枠３３及びマンホール蓋３４，３５により構成されている。その他の構成は上記第１実施形態と同様である。
【００４６】
さて、この第２実施形態の地下タンク貯蔵装置５０において、マンホール蓋受枠３３とマンホール外蓋３４、又はマンホール外蓋３４とマンホール中蓋３５との間の隙間を通って雨水がマンホール２５内に浸入した場合には、その浸入した雨水はプロテクター蓋２８，２９の外面を伝わって下方へと流される。そして、この雨水は、雨水排出路を構成する間隙３２に到達し、この間隙３２を通ってかぶせ枠２１下端部の下部周縁フランジ５３上に一時的に溜められ、第１段部１６ｂ上を伝わって乾燥砂５１中へと流出するおそれはない。
【００４７】
最後に、前記下部周縁フランジ５３（かぶせ枠２１及びコンクリートガード筒２４の下端部）上に溜められた雨水は、雨水排出路を構成する雨水排出口５４及び雨水排出管５５を通って地下タンク貯蔵装置５０の外部へと自動的に流出した後、周囲の土壌４２中へと排出される。また、雨水以外の砂粒、泥等の雨水が浸入した場合も同様である。
【００４８】
上記実施形態によって発揮される効果について、以下に記載する。
・　第２実施形態の地下タンク貯蔵装置５０は、地下タンク１１の周囲全体を鉄筋コンクリート製の躯体５２で取り囲み、その躯体５２と地下タンク１１との間の空間に乾燥砂５１を充填することにより、地下タンク１１と周囲の土壌４２とを完全に隔離するように構成されたタンク室式の設置構造を有している。さらに、この地下タンク貯蔵装置５０は、内部筒体２２の外側面と外部筒体２４ａの内側面下端部との間の間隙３２を下部周縁フランジ５３によって閉塞するとともに、外部筒体２４ａの下端部から躯体５２外部の土壌４２中へと雨水を排出するように構成された雨水排出管５５が設けられている。
【００４９】
このため、この地下タンク貯蔵装置５０は、上記第１実施形態と同様に、簡単な構成で、プロテクター１６内に雨水が浸入するのを防止することができるうえ、地下タンク貯蔵装置５０の施工作業を容易に行うことができる。さらに、下部周縁フランジ５３及び雨水排出管５５を設けたことにより、前記雨水が間隙３２を通って乾燥砂５１中へと流出せずに周囲の土壌４２中へと排出されるようになっていることから、タンク室式の地下タンク貯蔵装置５０の乾燥砂５１が濡れることによる不具合を容易に解消することができる。
【００５０】
一方、従来より市販されている既存のタンク室式の地下タンク貯蔵装置では、プロテクターの周囲が躯体により周囲の土壌から完全に隔離されていたことから、土壌中の水分（地下水等）がプロテクター内に浸入するおそれがないという前提のもとに設計及び施工されていた。このため、この地下タンク貯蔵装置では、オイル管とプロテクターとの接合部（コーキング部）の防水性能が直埋式よりも著しく劣っているのが通例である。そして、この地下タンク貯蔵装置では、マンホールから浸入する雨水に対する対策がほとんど施されていなかった事実から、長期に渡る使用によって雨水がプロテクター内に溜まりやすく、その溜められた雨水が前記コーキング部を通して乾燥砂内へと徐々に浸み出し、乾燥砂が濡れてしまうケースが実際に頻発していた。また仮に、前記コーキング部に防水性能の高いコーキング処理を行った場合には、プロテクター内に雨水が充満し、その雨水がプロテクターの上部開口部から乾燥砂内へと漏れ出して乾燥砂を濡らしてしまう可能性が極めて高い。この乾燥砂中の水分を除去して再び乾燥状態に戻すためには、躯体内の濡れた砂を新たな乾燥砂に交換する以外には方法がなく、その手間と費用は甚大なものとなることが予想される。
【００５１】
これに対し、本実施形態の地下タンク貯蔵装置５０（雨水排出装置）は、コーキング部１７ａの防水性能とは無関係に、マンホール２５から浸入する雨水がプロテクター１６内に浸入することがないうえ、乾燥砂５１を濡らすこともないという画期的な装置である。特に、この地下タンク貯蔵装置５０は、間隙３２下端部の下部周縁フランジ５３と雨水排出管５５とからなる特別の雨水排出路を備えていることから、マンホール２５から浸入する雨水を積極的に誘導しつつ躯体５２の外部へと排出することができ、長期間使用した場合でも乾燥砂５１を濡らすおそれはない。
【００５２】
なお、上記実施形態は、次のように変更して具体化することも可能である。
・　マンホール外蓋３４及びマンホール中蓋３５の防水用パッキン３６を省略し、防水性能の低いものとすること。このように構成した場合、防水性能の低いマンホール蓋３４，３５を用いることによって、地下タンク貯蔵装置１０のコストを容易に抑えることが可能である。なおこのとき、スペーサープレート２３及びプロテクター蓋２８，２９により、プロテクター１６内への雨水の浸入は効果的に防止されている。
【００５３】
・　マンホール外蓋３４及びマンホール中蓋３５を一体形成するとともに、プロテクター外蓋２８及びプロテクター中蓋２９を一体形成すること。
・　地下タンク本体１２の外面を鋼材又はＦＲＰ製の外殻によって被覆することにより二重殻タンクとすること。
【００５４】
・　地下タンク貯蔵装置１０を、予め工場内で成形された各部材（上部スラブを含む）を設置現場に運搬して組み立てる方法（プレキャスト法）により構成してもよい。
【００５５】
・　プロテクター１６、かぶせ枠２１、コンクリートガード筒２４又はマンホール蓋受枠３３は、楕円筒状又は四角筒状に形成されていてもよい。
・　内部筒体２２の高さを低く形成し、第２段部２２ｂの下面をプロテクター１６の上端縁に当接させるように構成してもよい。
【００５６】
・　プロテクター１６又は内部筒体２２の上端部を縮径しないように構成してもよい。
・　スペーサープレート２３は、内部筒体２２の周囲に等間隔（等角度）に３箇所以上突設されていればよい。
【００５７】
・　スペーサープレート２３を内部筒体２２の上下端部間を繋ぐ長四角板状に形成させてもよい。
・　スペーサープレート２３をコンクリートガード筒２４（外部筒体２４ａ）の内側面に溶接しないように構成すること。なおこのとき、コンクリートガード筒２４の下端縁は第１段部１６ｂの上面と所定間隔離間した位置に配置される必要がある。また、スペーサープレート２３をコンクリートガード筒２４（外部筒体２４ａ）の内側面に溶接させるとともに、内部筒体２２の外側面に溶接しないように構成してもよい。このように構成した場合でも、スペーサープレート２３により内部筒体２２と外部筒体２４ａとの間に間隙３２を形成させることができる。
【００５８】
・　雨水排出管５５を先端側ほど低くなるように傾斜させてもよい。
・　図２に示されるかぶせ枠２１、コンクリートガード筒２４及びプロテクター蓋２８，２９のみによって雨水排出装置としての防水プロテクターセットを構成してもよい。このように構成した場合、既存の地下タンク貯蔵装置に雨水排出装置としての防水プロテクターセットを容易に装着させることができる。
【００５９】
・　図６に示すように、かぶせ枠２１を省略し、プロテクター１６の外側面にスペーサープレート２３を設けてもよい。即ち、この地下タンク貯蔵装置１０の雨水排出装置としての防水プロテクターセットは、既存の地下タンク貯蔵装置のプロテクターの上部開口部を閉鎖するプロテクター蓋２８，２９と、同プロテクターの外側面に溶接により接合されるスペーサープレート２３とから構成されている。このように構成した場合、既存の地下タンク貯蔵装置に雨水排出装置としての防水プロテクターセットを容易に装着させることができる。
【００６０】
さらに、前記実施形態より把握できる技術的思想について以下に記載する。
・　前記プロテクターの外側部に等間隔に３箇所以上のスペーサーを配設したことを特徴とする請求項１から請求項４のいずれかに記載の地下タンク貯蔵装置用の雨水排出装置。
【００６１】
・　マンホールの下方に埋設された地下タンクの上端部に有底筒状のプロテクターが配設され、前記地下タンクの周囲が鉄筋コンクリート製の躯体で取り囲まれるとともに、その躯体と地下タンクとの間に乾燥砂が充填され、さらに請求項２から請求項４のいずれかに記載の地下タンク貯蔵装置用の雨水排出装置が設けられた地下タンク貯蔵装置であって、前記内部筒体の外面と外部筒体の下端部内側面との間の間隙を埋めて雨水を一時的に溜めるように構成するとともに、前記外部筒体の下端部外側面に前記一時的に溜められた雨水を躯体の外部へと排出するための雨水排出手段を設けたことを特徴とする地下タンク貯蔵装置。このように構成した場合、プロテクター内に雨水が浸入するのを容易に防止することができるうえ、地下タンク貯蔵装置の施工作業を容易に行うことができる。
【００６２】
【発明の効果】
以上詳述したように、この発明によれば、次のような効果を奏する。
請求項１から請求項４に記載の発明の地下タンク貯蔵装置用の雨水排出装置、及び請求項５に記載の発明の地下タンク貯蔵装置によれば、プロテクター内に雨水が浸入するのを容易に防止することができるうえ、地下タンク貯蔵装置の施工作業を容易に行うことができる。
【図面の簡単な説明】
【図１】第１実施形態の地下タンク貯蔵装置の一部を示す分解断面図。
【図２】第１実施形態の雨水排出装置の一部を示す分解斜視図。
【図３】第１実施形態の地下タンク貯蔵装置の一部を示す部分断面図。
【図４】第２実施形態の雨水排出装置の一部を示す分解斜視図。
【図５】第２実施形態の地下タンク貯蔵装置の一部を示す部分断面図。
【図６】実施形態以外の地下タンク貯蔵装置の一部を示す部分断面図。
【符号の説明】
１０…地下タンク貯蔵装置、１１…地下タンク、１６…プロテクター、１６ａ…プロテクターの上部開口部を構成する第１縮径部、２１…雨水排出装置を構成するかぶせ枠、２２…雨水排出装置を構成する内部筒体、２３…雨水排出装置を構成するスペーサーとしてのスペーサープレート、２４…雨水排出装置を構成するコンクリートガード筒、２４ａ…雨水排出装置を構成する外部筒体、２５…マンホール、２８…雨水排出装置及びプロテクター蓋を構成するプロテクター外蓋、２９…雨水排出装置及びプロテクター蓋を構成するプロテクター中蓋、３２…間隙、３３…雨水排出装置を構成するマンホール蓋受枠、３４…雨水排出装置及びマンホール蓋を構成するマンホール外蓋、３５…雨水排出装置及びマンホール蓋を構成するマンホール中蓋、４２…土壌、５０…地下タンク貯蔵装置、５１…乾燥砂、５２…躯体、５３…雨水排出装置を構成するスペーサーとしての下部周縁フランジ、５４…雨水排出手段を構成する雨水排出口、５５…雨水排出手段としての雨水排出管。
【図１】
2004034995.tif 000003
【図２】
2004034995.tif 000004
【図３】
2004034995.tif 000005
【図４】
2004034995.tif 000006
【図５】
2004034995.tif 000007
【図６】
2004034995.tif 000008